(57)【要約】      （修正有）【課題】地震時のブロック塀倒壊防止の為のブロック塀ガード笠木を提供する。【解決手段】内径１５０ｍｍの排水用フレキシブル樹脂管の底を管長方向にカットし、カットした位置から左右に５０ｍｍ離れた位置で１００ｍｍ巾の隙間が出来るようにＶカットして底を二枚の蝶番状に加工し、管の側面にロープ３用の径６．５ｍｍの穴を開けると共に、樹脂の弾力性と蝶番２の形状でブロック４への圧着力を高めた笠木１で、ブロック塀頂部に嵌め込み、穴に通したロープ３で立木９、屋根庇、又は杭柱に繋ぐ事で地震時のブロック塀倒壊に対し補強出来る。【選択図】図５
0003220845.tif 000002
【実用新案登録請求の範囲】
【請求項１】
地震時のブロック塀倒壊を緊急に処置する為の、排水用フレキシブル樹脂管の片側を中央でカットし更に５０ｍｍ離れた位置でＶカットし、底を蝶番状に開く事が出来るように加工し、樹脂の弾力性と蝶番の形状でブロックへの圧着力を高めた笠木で、開いた底からブロック塀全長の頂部に嵌め込み、これと立木、屋根庇などをロープで結びつける事で、誰でも安価で簡単に地震時のブロック塀倒壊に対し補強出来るブロック塀ガード笠木。
【請求項２】
現行法規に合わせるようにブロック塀の高さを下げる際のブロック撤去工事に於いて、塀にカッターを入れてハンマーで叩くが、上部のブロック落下の危険が生じないように塀全長に被せ、フレキシブル樹脂管の弾力性と蝶番の形状でブロックへの圧着力を高めた、ブロックの落下防止に効果を発揮する器具としてのブロック塀ガード笠木。
【考案の詳細な説明】
【技術分野】
【０００１】本考案は地震時のブロック塀倒壊防止の為の緊急処置に関する。
【背景技術】
【０００２】１９７８年（昭和５３年）の宮城県沖地震でブロック塀倒壊の死者が１８人も出て１９８１年の建築基準法改正でブロック塀の構造基準が強化された。それにも拘わらず２０１６年４月熊本地震で擁壁上のブロック塀の倒壊により２９才の男性が死亡し、２０１８年大阪北部地震で学校のブロック塀が倒壊し小学生の死亡者が出て社会問題になっている。現行基準に合わないブロック塀は全国に多数あるが、補強する予算、資金がない、工事をする職人が少ない等々で手の付かないブロック塀が多数ある。地震は何時くるか判らない。応急対策として費用も多くかからず、難しい技術も要らないブロック塀補強方法が必要となる。
【先行技術文献】
【特許文献】
【０００３】
【特許文献１】特開２００８−１９６１８２
【特許文献２】昭５６−２８９７５
【考案の概要】
【考案が解決しようとする課題】
【０００４】特許文献１はブロック塀に穴を開けボルトを通し、金物を使いモルタルで足固めした鋼管支柱に取り付けるものである。特許文献２は控え柱上部をＵ型に曲げ特殊な加工をした金物を取り付け、ブロック塀に被せるものである。控え柱足元は土を掘りアンカーを付けている。
従来のブロック塀補強法は建築学会ブロック塀システム研究小委員会の規準により、鉄材を柱として約３ｍ毎に建て、横の繋ぎを鉄のアングル材を２．３段設け、それにブロック塀を目地貫通したボルトで固定するものが主流であり、各地地方自治体の広報でも指導している。
これ等は費用も手間も掛かるし、鉄材の工作にも時間がかかる。
【課題を解決するための手段】
【０００５】地震時のブロック塀倒壊に緊急に対処する必要からフレキシブル樹脂管を加工した笠木を開発し、これを嵌め込むことで誰でも簡単に補強出来るような簡易補強部品を開発し提供する。
【考案の効果】
【０００６】嵌め込み工法のため、ブロック塀の穴開けなど要せず、施工が簡単である。
地震時に起きる力（反力）は笠木の穴を通したロープ、ワイヤーで立木、屋根庇、杭柱等で受ける。【０００７】ブロック塀全長に笠木を嵌め込むため力が分散均等化し、ブロック塀に力が集中するボルト止めする工法に較べ、ブロックの破壊が少ない。フレキシブルな樹脂管を使うため、地震時の揺れにも柔軟に対応する。【０００８】１９８１年の建築基準法改正でブロック塀の高さの限度は３ｍから２．２ｍになった。学会の規準も擁壁上のブロック塀が規定され１ｍ以上の高さの擁壁の上には高さ１．２ｍまでのブロック塀が可能と示されている。最終的には現行法規に合わせるようにブロック塀の高さを下げなければならない。
その際のブロック撤去工事に於いて、塀にカッターを入れてハンマーで叩くと、上部のブロック落下の危険が生じるが、フレキシブル樹脂管笠木は危険防止に効果を発揮する。
【図面の簡単な説明】
【０００９】
【図１】ブロック塀ガード笠木の単品図である。笠木の平面、立面を示す。
【図２】ブロック塀ガード笠木の縦断面を示す。
【図３】ブロック塀ガード笠木の横断面を示す。
【図４】ブロック嵌め込み部分の蝶番とＶカット加工要領を示す。
【図５】ブロック塀ガード笠木の取付け図である。
【図６】近くに立木や屋根庇が無い場合に反力を取る為の杭柱図である。
【図７】ブロック塀ガード笠木の取付け実施のイラストである。
【図８】ブロック撤去に際し、ブロックガード笠木が落下危険防止に有効である事を示すイラストである。
【考案を実施するための形態】
【００１０】図１のように笠木１の素材は市販の排水用フレキシブル蛇腹樹脂管である。
図３のように片側を中央でカットし更に５０ｍｍ離れた位置でＶカットをする。これは図４のように内管の板厚＋１ｍｍ程度の皮を残し、底を蝶番状に開く事が出来るように加工する。開いた底からブロック塀頂部を差し込む。樹脂の弾力性に加え、蝶番２の形状がブロックへの圧着力を高める。図１Ｂのように蛇腹管の腹には約３．４ｍ間隔でロープ用の穴８を径６．５ミリで開ける。
図２のように、この穴８にロープ３を通す。これはブロック塀の倒れをロープで引っ張るためである。立木９の位置など現場の状況によって穴の位置は決められる。通したロープ３を立木９や屋根庇１０に縛り付ける。
【実施例】
【００１１】図５図７のように、ブロックガード笠木は塀の頂部のブロック４に嵌め込んで使用する。倒れ防止のロープ３を笠木１腹に開けた穴８に通し近くにある庭の立木９、屋根庇１０、壁など十分  耐力の有る物に縛りつける。ロープ３は巻き付けただけでは抜ける恐れがあるので必ず結び玉を作る。図６のように、近くに立木９等が無い場合は杭柱６を打込む事も考えられるがロープの角度が急にならない様に注意する。（２０°以内）ロープ３は台風などで立木９が揺れ塀に力が加はったり、ロープ３が摺れたりする事があるので、ぴんぴんに張らず多少たるみを持たせた方がよい。シャツクル、デンデンボルト５を介してステンレスワイヤーも使用出来る。杭柱６は硬質塩ビ管７５ｍｍで長い杭でも、ガイド用外管７を先にハンマーで打込んで後、差し込み打込むと作業がし易い。
【力の検討】
【００１２】ブロック塀を  Ｌ×Ｈ  ４ｍ×２ｍ  で考える。
重量  ブロック塀  ８ｍ２×１０９５  Ｎ／ｍ２    笠木  ４ｍ×２０Ｎ／ｍ
Ｗ＝８７６０＋８０＝８８４０Ｎ
水平震度＝０．３  地震力＝０．３×８８４０＝２６５２Ｎ  重心の高さ１ｍ
転倒モーメント  Ｍｅ＝２６５２×１＝２６５２  Ｎｍ
抵抗モーメント  Ｍｒ＝塀の高さｈ×Ｐロープの引張力  ＝２×Ｐ
Ｍｒ≧Ｍｅから  Ｐ＝２６５２／２＝１３２６Ｎ  即ち１３２６／９．８＝１３６ｋｇｆ
塀に対するロープの角度を２０度とすると  １３６／Ｃｏｓ２０°＝１３６／０．９３９７
安全率１．５を考えて  Ｐ＝１．５×１３６／０．９３９７＝２１７．１  ｋｇｆ
ロープの強度は  ナイロン６Φ  ８１０ｋｇ  テトロン６Φ  ６００ｋｇ（破断力）
なので径６ｍｍ以上のロープを使用すれば問題ない。
【符号の説明】
【００１３】１    笠木
２    蝶番
３    ロープ
４    コンクリートブロック１００
５    シャツクル  デンデンボルト
６    杭柱
７    ガイド用外管
８    穴
９    立木
１０  屋根庇
【図１】
0003220845.tif 000003
【図２】
0003220845.tif 000004
【図３】
0003220845.tif 000005
【図４】
0003220845.tif 000006
【図５】
0003220845.tif 000007
【図６】
0003220845.tif 000008
【図７】
0003220845.tif 000009
【図８】
0003220845.tif 000010
【手続補正書】
【提出日】平成31年1月30日(2019.1.30)
【手続補正１】
【補正対象書類名】実用新案登録請求の範囲
【補正対象項目名】全文
【補正方法】変更
【補正の内容】
【実用新案登録請求の範囲】
【請求項１】
内径１５０ｍｍの排水用フレキシブル樹脂管の底を管長方向にカットし、カットした位置から左右に５０ｍｍ離れた位置で１００ｍｍ巾の隙間が出来るようにＶカットして底を二枚の蝶番状に加工し、管の側面にロープ用の径６．５ｍｍの穴を開けると共に、樹脂の弾力性と蝶番の形状でブロックへの圧着力を高めた笠木で、ブロック塀頂部に嵌め込み、穴に通したロープで立木、屋根庇、又は杭柱に繋ぐ事で地震時のブロック塀倒壊に対し補強出来ることを特徴としたブロック塀ガード笠木。
【請求項２】
内径１５０ｍｍの排水用フレキシブル樹脂管の底を管長方向にカットし、カットした位置から左右に５０ｍｍ離れた位置で二枚の蝶番状に開くように加工して１００ｍｍ巾の隙間が出来るようにすると共に、樹脂の弾力性と蝶番の形状でブロックへの圧着力を高め、隙間にブロック塀頂部を嵌め込んでブロックを掴む事で、ブロック撤去工事に於いてブロックの落下防止に効果を発揮することを特徴とした器具としての請求項１に記載のブロック塀ガード笠木。
【手続補正２】
【補正対象書類名】明細書
【補正対象項目名】００１０
【補正方法】変更
【補正の内容】
【００１０】図１のように笠木１の素材は市販の排水用フレキシブル蛇腹樹脂管である。図３のように円の中心を通る線が円の接線と交わる点を基準点とし、基準点で管の長さ方向にカットし更に基準点から左右に５０ｍｍ離れた位置でＶカットをする。  これは図４のように内管の板厚＋１ｍｍ程度の皮を残し、底を蝶番状に開く事が出来るように加工する。開いた底からブロック塀頂部を差し込む。樹脂の弾力性に加え、蝶番２の形状がブロックへの圧着力を高める。図１Ｂのように蛇腹管の腹には約３．４ｍ間隔でロープ用の穴８を径６．５ミリで開ける。図２のように、この穴８にロープ３を通す。これはブロック塀の倒れをロープで引っ張るためである。立木９の位置など現場の状況によって穴の位置は決められる。通したロープ３を立木９や屋根庇１０又は杭柱６に縛り付ける。